(57)【特許請求の範囲】
【請求項１】
循環流路にポンプ、第１開閉弁を設け、循環流路のポンプの下流から分岐するバイパス流路を設け、バイパス流路中に浴槽水のろ過を行うための精密ろ過フィルタを内装した精密ろ過槽を設置し、精密ろ過槽内の精密ろ過フィルタの上流側に流水吐水口を有する回転自在な洗浄用ノズルを設け、バイパス流路の精密ろ過槽の下流側に第２開閉弁を設け、循環流路のポンプの下流またはバイパス流路から分岐し第１切り替え弁により一対の電極を内蔵した無隔膜電解槽もしくは、塩溶解槽、無隔膜電解槽の両方を経由してバイパス流路の精密ろ過槽の上流に合流する第１補助流路を設け、精密ろ過槽の精密ろ過フィルタよりも上流から分岐し且つ循環流路のポンプよりも上流に合流する第２補助流路を設け、この第２補助流路に第２切り替え弁を介して排水口を設けて成ることを特徴とする浴槽水浄化装置。
【請求項２】
第１開閉弁を閉じ、第２切り替え弁をポンプ側に開いた後、第１切り替え弁を無隔膜電解槽側に開いて無隔膜電解槽で生成された塩素水を精密ろ過槽の精密ろ過フィルタの上流、ポンプを循環させた後、第２切り替え弁を閉じて塩素水を精密ろ過フィルタを通して浴槽に出すように制御する制御部を設けて成ることを特徴とする請求項１記載の浴槽水浄化装置。
【請求項３】
第１開閉弁を閉じ、第２切り替え弁を開いた後、第１切り替え弁を塩溶解槽側へ開閉するように制御する制御部を設けて成ることを特徴とする請求項１記載の浴槽水浄化装置。
【請求項４】
ポンプを止め、第１開閉弁を閉じ、第２切り替え弁をポンプ側に、第１切り替え弁を塩溶解槽側に開き、測定された電流値又は電圧値が所定値に等しくなるまで駆動時間が一定のポンプの駆動回数を制御する制御部を設けて成ることを特徴とする請求項１記載の浴槽水浄化装置。
【請求項５】
測定された電流値又は電圧値が所定値と等しくなるまでポンプの駆動回数で制御し、駆動回数が所定回数に到達した時、塩不足であると判断する制御部を設けて成ることを特徴とする請求項４記載の浴槽水浄化装置。
【請求項６】
ポンプを止め、第１開閉弁を閉じて第２切り替え弁をポンプ側に開いた後、第１切り替え弁を塩溶解槽側に開き、ポンプの１回目の駆動時間が長く、２回目以降は短く且つ一定の駆動時間であり、測定された電流値又は電圧値が所定値に等しくなるまでポンプの駆動回数を制御する制御部を設けて成ることを特徴とする請求項１記載の浴槽水浄化装置。
【発明の詳細な説明】
【０００１】
【発明の属する技術分野】
本発明は、浴槽内の浴槽水を循環して浄化することで、浴槽水の長期使用を可能とする浴槽水浄化装置に関するものである。
【０００２】
【従来の技術】
近年、家庭用の風呂において２４時間の入浴を可能としたものが提供されている。この場合、浴槽内の浴槽水を長期間使用可能とするために浴槽水を常時もしくは周期的に浄化・殺菌する必要がある。このために、従来より知られている循環浄化装置は、一端の吸い込み口と他端の吐出口を浴槽水中に浸漬させた循環水路にポンプ、ヒータ、ろ過槽、殺菌槽を設けたもので、ポンプで浴槽内の浴槽水を吸い込み口から吸い込んで吐出口から吐出させるように循環水路を循環させ、更に、ヒータで循環水路を循環する浴槽水を加熱し、また、ろ過層で浴槽水の汚れをろ過し、更にまた、殺菌槽によりレジオネラ菌等を殺菌するように構成されている。
【０００３】
従来の循環浄化装置は、殺菌方式としては紫外線殺菌、オゾン殺菌、加熱殺菌、塩素殺菌から選択しており、塩素殺菌方式を採用している循環浄化装置が特開平８−２６７０７２号公報で提供されている。このものは図１０に示すように、電解殺菌装置３０と、それに塩分を添加するための塩分添加部３１と、更に塩分添加制御のための調節弁３２とを備えており、電解殺菌の開始に当っては調節弁３２が開放され食塩もしくは食塩水が電解殺菌装置３０に添加される仕組みになっている。図１０中、２０は浴槽、２１はヒータ、２はポンプ、３３はろ過槽である。
【０００４】
また、従来からこれと同様に塩水を電気分解する構造を有するものとして酸性イオン水生成装置等が知られており、例えば、特開平７−１５５７６４号公報で提供されている。このものは、図１１に示すように電解槽４０と塩水タンク４１と塩水を電解槽４０に給水するポンプ２とを備え、電流が一定のもとで電極間の電圧を測定し、基準値との比較に基づいてポンプ２を制御することにより、電解槽４０内の塩分濃度を一定に保持することを目的としているものである。図１１中１５は制御部、４２は混合室、４３はアルカリ水排水管、４４は酸性イオン水タンク、４５は入水管である。、
【０００５】
【発明が解決しようとする課題】
従来の装置はろ過槽にファイバーボールのような生物を定着させ浴槽水内の有機物を分解させるろ材を用いているが、反面、レジオネラ菌等の有害な細菌も定着する可能性があった。また、ろ過槽にコロイド粒子状の汚れまたは細菌、レジオネラ菌を取り除けるように目の細かな精密ろ過フィルタを用いており、精密ろ過フィルタが直ぐ目詰まりしてその都度、装置を止めて高価な精密ろ過フィルタを交換しなければならず、手間や費用がかかりメンテナンスも大変であった。また、目詰まりにより循環流量が低下し浄化能力が低下するといった問題があった。
【０００６】
また、前記特開平８−２６７０７２号公報で提供されているような従来の装置にあっては、塩分添加部の塩濃度が常に一定でない限り電解殺菌装置３０内の塩濃度の調整は困難である。また、塩分添加部３１の塩濃度を一定にするためには一定濃度の溶液をあらかじめ調整し、それを補充するといった煩雑なメンテナンスが必要となる。仮に、塩分添加部３１内に固形の食塩を貯蔵していたとしても、食塩は固着するため調節弁の開放のみで電解殺菌装置３０内の塩濃度を調整することはやはり困難である。電解殺菌装置３０内の塩濃度が一定でないと一定量の塩素を発生させることができない。塩素発生量が少ないときは殺菌力が不十分となり、浴槽水の殺菌を十分に行うことができず、更には配管系や浴槽２０壁にレジオネラ菌の巣窟となり得るヌメリを発生させることになる。逆に塩素発生量が多すぎるときには殺菌は十分にできても塩素臭や肌への刺激という面で入浴に不快な水質となってしまうという問題があった。
【０００７】
本発明は上記の点に鑑みてなされたものであり、精密ろ過フィルタを洗浄して洗浄能力を維持すると共に、浴槽水の殺菌を十分に行い且つ配管系や浴槽壁にレジオネラ菌の巣窟となり得るヌメリを発生させないために、無隔膜電解槽で食塩水を効率よく電解する際に、塩濃度の調整を精度よく行い一定量の塩素を発生させることのできるコンパクトな浴槽水浄化装置を提供することを課題とするものである。
【０００８】
【課題を解決するための手段】
上記課題を解決するために本発明に係る浴槽水浄化装置は、循環流路１にポンプ２、第１開閉弁３を設け、循環流路１のポンプ２の下流から分岐するバイパス流路４を設け、バイパス流路４中に浴槽水のろ過を行うための精密ろ過フィルタ５を内装した精密ろ過槽６を設置し、精密ろ過槽６内の精密ろ過フィルタ５の上流側に流水吐水口１６を有する回転自在な洗浄用ノズル１７を設け、バイパス流路４の精密ろ過槽６の下流側に第２開閉弁１４を設け、循環流路１のポンプ２の下流またはバイパス流路４から分岐し第１切り替え弁７により一対の電極を内蔵した無隔膜電解槽８もしくは、塩溶解槽９、無隔膜電解槽８の両方を経由してバイパス流路４の精密ろ過槽６の上流に合流する第１補助流路１０を設け、精密ろ過槽６の精密ろ過フィルタ５よりも上流から分岐し且つ循環流路１のポンプ２よりも上流に合流する第２補助流路１１を設け、この第２補助流路１１に第２切り替え弁１２を介して排水口１３を設けて成ることを特徴とするものである。このような構成とすることで、精密ろ過装置６による浄化、洗浄用ノズル１７による精密ろ過フィルタ５の洗浄、無隔膜電解槽８で生成した塩素による殺菌及び無隔膜電解槽８への塩溶解槽９からの塩の供給を一つのポンプ２で行えるものである。
【０００９】
また、第１開閉弁３を閉じ、第２切り替え弁１２をポンプ２側に開いた後、第１切り替え弁７を無隔膜電解槽８側に開いて無隔膜電解槽８で生成された塩素水を精密ろ過槽６の精密ろ過フィルタ５の上流、ポンプ２を循環させた後、第２切り替え弁１２を閉じて塩素水を精密ろ過フィルタ５を通して浴槽２０に出すように制御する制御部１５を設けることが好ましい。このような構成とすることで、ポンプ２内を高濃度の塩素水で殺菌することができ、ポンプ２内におけるヌメリの発生を抑え、ヌメリによるポンプ２の目詰まり、レジオネラ菌の発生を抑えることができる。また、精密ろ過フィルタ５の洗浄の時にしか流れることのない第２補助流路１１も高濃度の塩素水で殺菌することができる。
【００１０】
また、第１開閉弁３を閉じ、第２切り替え弁１２を開いた後、第１切り替え弁７を塩溶解槽９側へ開閉するように制御する制御部１５を設けることが好ましい。しかして、塩溶解槽９より無隔膜電解槽８へ塩溶解水を移送し、無隔膜電解槽８において所定量の塩素を生成するために必要な塩の量を制御するとき、塩溶解槽９より無隔膜電解槽８への流量が影響するが、第２切り替え弁１２を開いてあるので、塩溶解槽９の精密ろ過フィルタ５の目詰まりの影響を受けることなく流量が一定である。
【００１１】
また、ポンプ２を止め、第１開閉弁３を閉じ、第２切り替え弁１２をポンプ２側に、第１切り替え弁７を塩溶解槽９側に開き、測定された電流値又は電圧値が所定値に等しくなるまで駆動時間が一定のポンプ２の駆動回数を制御する制御部１５を設けることが好ましい。このような構成とすることで、ポンプ２の駆動時間を一定とし、１回駆動させるたびに電極間の電圧または電流を所定値と比較し、ポンプ２を数回駆動させることで、塩濃度を所定値まで上昇させるものであり、この結果、所定値を大きく上回ることなく無隔膜電解槽８内の塩濃度を調整することができるものである。また、塩溶解槽９の上流の第１切り替え弁７の開閉にかかる時間に関係なく制御できるため、第１切り替え弁７の種類を選ぶ必要がないものである。
【００１２】
また、測定された電流値又は電圧値が所定値と等しくなるまでポンプ２の駆動回数で制御し、駆動回数が所定回数に到達した時、塩不足であると判断する制御部１５を設けることが好ましい。このような構成とすることで、ポンプ２を１回駆動させるたびに電極間の電圧又は電流を所定値と比較し、数回ポンプ２を駆動させることにより塩濃度を所定値まで上昇させるという制御のとき、塩溶解槽９内の塩残量が少なく、塩溶解槽９の出口の塩濃度が低いとき、何回駆動させても所定値とずれを生じたままとなるため、所定回数、駆動させても所定値に到達しないとき塩不足を表示させるものである。このように塩不足を表示することで、塩濃度不足からくる塩素発生量不足を未然に防ぐことができるものである。
【００１３】
また、ポンプ２を止め、第１開閉弁３を閉じて第２切り替え弁１２をポンプ２側に開いた後、第１切り替え弁７を塩溶解槽９側に開き、ポンプ２の１回目の駆動時間が長く、２回目以降は短く且つ一定の駆動時間であり、測定された電流値又は電圧値が所定値に等しくなるまでポンプ２の駆動回数を制御する制御部１５を設けることが好ましい。このような構成とすることで、無隔膜電解槽８の塩濃度を最初の１回目で大きく所定値に近づけておいた後、小刻みに濃度を上げてより精度よく無隔膜電解槽８内の塩濃度を所定値に調整することができるものである。
【００１４】
【発明の実施の形態】
以下、本発明を添付図面に示す実施形態に基づいて説明する。
【００１５】
図１には本発明の装置の配管構成図が示してある。循環流路１は一端に吸い込み口１８を設けると共に他端に吐出口１９を設けてあり、上記吸い込み口１８と吐出口１９とが浴槽２０内の浴槽水中に浸漬させてある。循環流路１には上流側から下流側にかけて順にポンプ２、第１開閉弁３、ヒータ２１を設けてある。
【００１６】
循環流路１のポンプ２と第１開閉弁３との間からバイパス流路４が分岐してあり、このバイパス流路４には浴槽水のろ過を行うための精密ろ過フィルタ５を内装した精密ろ過槽６が設けてある。精密ろ過槽６内には精密ろ過フィルタ５の上流側に流水吐水口１６を有する回転自在な洗浄用ノズル１７が設けてある。この洗浄用ノズル１７はポンプ２からバイパス流路４に浴槽水が供給された際、モータ又は水流の働きにより精密ろ過槽６の上流側の外周を回転するように構成してあり、また、回転と同時に流水吐水口１６から浴槽水を精密ろ過フィルタ５の上流側の外周に吐水して精密ろ過フィルタ５を上流側において洗浄するようになっている。バイパス流路４には更に精密ろ過槽６よりも下流側に第２開閉弁１４が設けてある。バイパス流路４の下流側の端部は循環流路１の第１開閉弁３よりも下流側（図に示す実施形態ではヒータ２１よりも下流側）に連通接続してある。なお、上記においてはバイパス流路４の下流側の端部を循環流路１の第１開閉弁１４よりも下流側に連通接続した例を示したが、バイパス流路４の下流側の端部を循環流路１に接続することなく、直接浴槽２０内の浴槽水に浸漬してもよいものである。
【００１７】
循環流路１のポンプ２と第１開閉弁３との間またはバイパス流路４の精密ろ過槽６よりも上流側から第１補助流路１０が分岐してある。第１補助流路１０の途中には上流側から順に第１切り替え弁７、無隔膜電解槽８が設けてある。また、第１切り替え弁７と無隔膜電解槽８とを別の分岐水路２２で接続してあり、分岐水路２２に塩溶解槽９が設けてある。第１補助流路１０の他端（下流側端部）はバイパス流路４の精密ろ過槽６よりも上流側に連通接続してある（なお第１補助流路１０の上流側端部をバイパス流路４の精密ろ過槽６よりも上流側に連通接続した場合には、第１補助流路１０の下流側端部は上流側端部のバイパス流路４への接続部分よりも下流側で且つ精密ろ過槽６よりも上流側において連通接続するものである）。第１切り替え弁７は無隔膜電解槽８側と塩溶解槽９側のいずれも閉とする状態と、無隔膜電解槽８側が開で塩溶解槽９側が閉の状態と、塩溶解槽９が開で無隔膜電解槽８が閉の状態とを切り替えるものである。
【００１８】
塩溶解槽９は実施形態においては二重筒構造をしていて、内筒に塩を収納するようになっている。ここでは、その内筒の上面が開放してあり、側面が格子状に開口し、その開口部をメッシュで覆ってある。一方、外筒には蓋を開閉自在に取り付けてあり、蓋を開いた後、内筒を設置し、再び蓋を閉めて密閉する構造となっている。もちろん、上記塩溶解槽９は必ずしも円筒構造に限定されるものではない。
【００１９】
無隔膜電解槽８は実施形態では塩溶解槽９と同様に円筒構造となっており、一対の不溶性電極板よりなる電極を隔膜を介することなく対向配置した無隔膜タイプのものとして形成してある。ここで、電極を構成する電極板の形状は無隔膜電解槽８の下方まで達する長方形である。塩溶液には塩素イオン（Ｃｌ-）が含まれているが、無隔膜電解槽８で塩素イオン（Ｃｌ-）の一部を電気分解すると、塩素イオン（Ｃｌ-）は塩素（Ｃｌ2）や次亜塩素酸イオン（ＣｌＯ-）に交換され、浴槽水に殺菌力を持たせることができるものである。上記無隔膜電解槽８と塩溶解槽９とは同一サイズの円筒構造にして金型を共通化してコストを下げるようにしてもよいが、必ずしも同一サイズの円筒構造とする必要なない。
【００２０】
精密ろ過槽６の精密ろ過フィルタ５の上流に第２補助流路１１の一端部が連通接続してあり、この第２補助流路１１の他端部が循環流路１のポンプ２よりも上流側に連通接続してある。第２補助流路１１には第２切り替え弁１２を介して排水口１３が設けてある。この第２切り替え弁１２はポンプ２側と排水口１３側の両方が閉の状態と、ポンプ２側が開で排水口１３側が閉の状態と、ポンプ２側が閉で排水口１３側が開の状態とを切り替えるための弁である。
【００２１】
ここで、第１開閉弁３、第２開閉弁１４、第１切り替え弁７、第２切り替え弁１２は電磁弁であってもよく、また、電動弁であってもよいものである。そして、これら第１開閉弁３、第２開閉弁１４、第１切り替え弁７、第２切り替え弁１２は制御回路よりなる制御部１５に接続されて開閉及び駆動が制御されるものである。また、無隔膜電解槽８の一対の電極に通電して電解を行う制御も制御部１５により行うものである。
【００２２】
図２は上記の構成の本発明の浴槽水浄化装置において、浴槽水の浄化時における装置内の浴槽水の流れを矢印で示しており、第１開閉弁３、第２開閉弁１４は開、第１切り替え弁７、第２切り替え弁１２は閉の状態となっており、ポンプ２の下流において浴槽水の一部が循環流路１をそのまま流れてヒータ２１で加温しながら浴循環流路１の吐出口１９側に流れ、また、ポンプ２の下流において浴槽水の他の一部がバイパス流路４に流れて精密ろ過槽６内に設けた中空糸膜よりなる精密ろ過フィルタ５を通過する際に細菌、レジオネラ菌等をろ過し、ろ過して浄化された浴槽水が循環流路１の吐出口１９側に流れて循環流路１のヒータ２１を流れて加温された浴槽水と合流して吐水口１９から浴槽２０に返送されるものである。ここで、精密ろ過フィルタ５を備えた精密ろ過槽６をバイパス流路４に設けることで、中空糸膜よりなる精密ろ過フィルタ５が目詰まりを起こして流量が低下した場合でも循環流路１に一定量の浴槽水が流れるため浴槽水の温度低下を起こさない構成となっている。なお、第１切り替え弁７は無隔膜電解槽８側に開としておいてもよい。
【００２３】
図３は殺菌時の装置内の浴槽水の流れを矢印で示しており、第１開閉弁３、第２開閉弁１４を閉、第２切り替え弁１２をポンプ２側に開にした状態で第１切り替え弁７を無隔膜電解槽８側が開となるように切り替え、塩素水をポンプ２に循環させ、その後、第２開閉弁１４を開、第２切り替え弁１２を閉にし、塩素水を中空糸膜よりなる精密ろ過フィルタ５を通して浴槽２０に返送するものである。ここで、塩素水をポンプ２に循環させる際第２開閉弁１４は開状態としていてもよい。
【００２４】
ここで、実際の制御の一例を示すと、例えば、容量３００ｍｌの無隔膜電解槽９内で４５０ｍｇの塩素が発生されたとすると無隔膜電解槽９内の塩素濃度は１５００ｐｐｍになる。第１開閉弁３、第２開閉弁１４を共に閉、第２切り替え弁１２をポンプ２側に開にした状態で第１切り替え弁７を無隔膜電解槽８側が開となるように切り替え、塩素水をポンプ２に循環させた時、精密ろ過槽６と流路の配管の合計の容積を１５００ｍｌとするとポンプ２を殺菌する塩素水の濃度は１００ｐｐｍとなる。次に、第２切り替え弁１２を閉、第２開閉弁１４を開にし、１００ｐｐｍの塩素水で精密ろ過槽６内の精密ろ過フィルタ５を殺菌した後、塩素水は浴槽２０に投入される。浴槽２０内の浴槽水が２００ｌとすると浴槽２０内の浴槽水の塩素濃度は２．２５ｐｐｍとなる。このように浴槽２０内の浴槽水で希釈されずに１００ｐｐｍでポンプ２、精密ろ過フィルタ５を殺菌するので効果的にポンプ２、精密ろ過フィルタ５の殺菌ができて、ポンプ２、精密ろ過フィルタ５にヌメリが発生するのを抑え、ヌメリによるポンプ２の目詰まり、レジオネラ菌の発生を抑えることができるものである。また、ポンプ２に塩素水を流す際に精密ろ過フィルタ５の洗浄の際にしか流れない流路である第２補助流路１１もくまなく殺菌できていっそう殺菌効果が向上する。
【００２５】
図４には塩溶解槽９から無隔膜電解槽８に塩溶解水を移送するときの装置内の浴槽水の流れを矢印で示しており、第１開閉弁３、第２開閉弁１４を閉、第２切り替え弁１２をポンプ２側に開にした後、第１切り替え弁７を塩溶解槽９側への開閉を制御し、所定量の塩溶解水を無隔膜電解槽８に送るようにしている。
【００２６】
ここで、電解殺菌を行うときの動作を図７に示すフローチャートに基づいて説明する。電解殺菌をスタートさせる指令を受けた制御部はまず第１切り替え弁７に信号を送り、塩溶解槽９側に短時間だけ１回開ける（この塩溶解槽９側に第１切り替え弁７を開く時間は設定された一定時間である）。そのとき、ポンプ２の正圧がかかっているので、第１切り替え弁７を通って浴槽水が塩溶解槽９に少量流入（上記のように短時間だけ第１切り替え弁７を塩溶解槽９側に開とするので結果的に塩溶解槽９には少量だけ流入することになる）して無隔膜電解槽８に流入する。無隔膜電解槽８内では塩溶解水の流入により電気伝導度が上がり、一定電流を電極に通電したならば、電極間にかかる電圧は下がることになる。制御部は電極に通電することにより電圧値を測定し、あらかじめ設定しておいた所定値と比較し、測定された電圧値の方が所定値よりも大きいときにはもう１回第１切り替え弁７を開く。これを数回繰り返すと電圧値は徐々に下がっていき、ついには測定された電圧値が所定値と同じになるか、もしくは下回るが、このとき、無隔膜電解槽８内の塩濃度が所定の濃度に達したことを意味し、制御部１５からの信号で無隔膜電解槽８で電解を始める。一定時間電解を続けた後、制御部１５からの信号により無隔膜電解槽８側へ第１切り替え弁７を開き、浴槽水が無隔膜電解槽８へ流入し、無隔膜電解槽８に貯留している電解により発生した塩素水をバイパス流路４に押し出す。ここで、第１切り替え弁７を塩溶解槽９側が開となるようにした場合、塩溶解槽９から無隔膜電解槽８に送られる塩の量は、塩溶解槽９の塩濃度と、塩溶解槽９から無隔膜電解槽８への流量が影響するが、精密ろ過フィルタ５を通らない流路（つまり精密ろ過槽６の精密ろ過フィルタ５よりも上流側）を通って第２補助流路１１からポンプ２側に流れるので、精密ろ過フィルタ５の目詰まりの影響を受けず流量が一定である。
【００２７】
図５、図６には精密ろ過フィルタ５の洗浄時における装置内の浴槽水の流れを矢印で示しており、図５に示すように、第１開閉弁３、第２開閉弁１４は共に閉、第１切り替え弁７は閉、第２切り替え弁１２はポンプ２側が開状態となっており、精密ろ過槽６内の洗浄用ノズル１７が回転しつつ精密ろ過フィルタ５に流水を吹き付けながら浴槽水が循環して精密ろ過フィルタ５を洗浄する。次に図６に示すように、第２切り替え弁１２が排水口１３側を開とするように切り替えられ、洗浄排水が排水口１３から浴槽２０外に排水されるものである。
【００２８】
このように、本発明によれば、精密ろ過装置６による浄化、洗浄用ノズル１７による精密ろ過フィルタ５の洗浄、無隔膜電解槽８で生成した塩素による殺菌及び無隔膜電解槽８への塩溶解槽９からの塩の供給等を一つのポンプ２で行えるものである。
【００２９】
次に、図８に基づいて本発明の第２の実施形態につき説明する。本実施形態における装置の配管構成は前述の第１の実施形態と基本的構成は同じであり、電解殺菌を行うに当っての制御部１５による制御が異なっている点に特徴があるので、電解殺菌についての説明以外の重複する説明は省略する。すなわち、本実施形態は電解殺菌時に前述の実施形態と比べて第１切り替え弁７を制御する代わりにポンプ２を制御する点に特徴があり、第１開閉弁３、第２開閉弁１４を共に閉じ、第２切り替え弁１２をポンプ２側に開いた後、ポンプ２を止め、第１切り替え弁７を塩溶解槽９側が開となるように切り替える。そして、図８のフローチャートに基づいてポンプ２の駆動を制御部１５により制御し、塩溶解水を無隔膜電解槽８に送る。この場合におけるポンプ２の駆動時間は一定である。そして、制御部１５は電極に通電することで電圧値を測定し、あらかじめ設定しておいた所定値と比較し、測定された電圧値の方が所定値よりも大きいときにはもう１回ポンプ２を一定時間駆動する。これを数回繰り返すと電圧値は徐々に下がっていき、ついには測定された電圧値が所定値と同じになるか、もしくは下回るが、このとき、無隔膜電解槽８内の塩濃度が所定の濃度に達したことを意味し、制御部１５からの信号で無隔膜電解槽８で電解を始める。一定時間電解を続けた後、制御部１５からの信号により無隔膜電解槽８側へ第１切り替え弁７を開き、浴槽水が無隔膜電解槽８へ流入し、無隔膜電解槽８に貯留している電解により発生した塩素水をバイパス流路４に押し出す。ここで、ポンプ２の駆動を数回繰り返した後も測定した電圧値とあらかじめ設定した所定値が等しくならないときは、塩溶解槽９内の塩残量が少ないためである。このように、あらかじめ設定しておいた所定回数ポンプ２を駆動させても測定電圧値が所定値にならないときは制御部１５により塩切れ表示部（図示せず）により塩切れ状態であることを表示するようになっている。塩切れ表示部による表示は文字による表示、あるいは光による表示、あるいは音による表示等種々の表示手段が採用できるものである。
【００３０】
実際の制御の態様の一例を説明すると、例えば、容量５００ｍｌの無隔膜電解槽８内の塩濃度を１％とするためには塩の量が５ｇ必要であり、塩溶解槽９内に塩が十分あるときは塩溶解槽９の出口の塩濃度は一定であるから、仮に２０％とすると、塩溶解槽９から２５ｍｌの塩溶解水が無隔膜電解槽８へ移送されればよいことになる。ポンプ２が駆動しているとき、塩溶解槽９から無隔膜電解槽８への流量を０．５ｌ／ｍｉｎとすると、さらにポンプ２の１回の駆動時間を０．６ｓｅｃと設定しているとき、５回のポンプ２の駆動で塩溶解槽９から塩溶解水が無隔膜電解槽８内へ２５ｍｌ移送され、無隔膜電解槽８内の塩濃度は１％に達することになる。今、塩溶解槽９の出口の塩濃度を一定としたが、塩溶解槽９内の塩残量が少なくなってくると出口の塩濃度が少しずつ薄くなってくるが、無隔膜電解槽８で電圧を検出しながらフィードバック制御をかけているため、ポンプ２の駆動回数を増やすことにより、無隔膜電解槽８内の塩濃度を達成することができるものである。
【００３１】
次に、図９に基づいて本発明の更に他の実施形態につき説明する。本実施形態は電解殺菌に当って上記図８に示す第２の実施形態に比べてポンプ２の駆動の仕方を２段階で制御するようにした点が異なり、他は第１の実施形態と同様であるので電解殺菌以外の重複する説明は省略する。電解殺菌を行うときの動作は図９に示すフローチャートにしたがって行う。すなわち、電解殺菌をスタートさせる指令を受けた制御部１５はまずポンプ２に信号を送り、ポンプ２を１回駆動させる。この時、浴槽水が塩溶解槽９に流入し、その量と同じ量の塩溶解水が無隔膜電解槽８に流入する。電解槽１５内では塩溶解水の流入により電気電導度が大きく上がり、一定電流を電極に通電したときの電極間にかかる電圧は大きく下がることになる。制御部１５は電圧値を測定し、あらかじめ設定してある所定値と比較し、検出された電圧値の方が所定値より大きいとき、今度はポンプ２の駆動時間を１回目よりも短く駆動する。２回目以降、同じ短い時間のポンプ２の駆動を数回繰り返すことにより電圧値は少しずつ下がっていき、ついには測定された電圧値が所定値と同じになるか、もしくは下回るが、このとき、無隔膜電解槽８内の塩濃度が所定の濃度に達したことを意味し、制御部１５からの信号で無隔膜電解槽８で電解を始める。一定時間電解を続けた後、制御部１５からの信号により無隔膜電解槽８側へ第１切り替え弁７を開き、浴槽水が無隔膜電解槽８へ流入し、無隔膜電解槽８に貯留している電解により発生した塩素水をバイパス流路４に押し出す。この制御方法では無隔膜電解槽８内の塩濃度を最初の１回目で大きく所定値に近づけておいた後、小刻みに濃度を上げるという方法で、より精度よく無隔膜電解槽８内の塩濃度を所定値に調整することができるものである。更に、ポンプ２の駆動の総回数も少なくて済み、ポンプ２のトラブルも防止することができるものである。
【００３２】
【発明の効果】
上記の請求項１記載の本発明にあっては、循環流路にポンプ、第１開閉弁を設け、循環流路のポンプの下流から分岐するバイパス流路を設け、バイパス流路中に浴槽水のろ過を行うための精密ろ過フィルタを内装した精密ろ過槽を設置し、精密ろ過槽内の精密ろ過フィルタの上流側に流水吐水口を有する回転自在な洗浄用ノズルを設け、バイパス流路の精密ろ過槽の下流側に第２開閉弁を設け、循環流路のポンプの下流またはバイパス流路から分岐し第１切り替え弁により一対の電極を内蔵した無隔膜電解槽もしくは、塩溶解槽、無隔膜電解槽の両方を経由してバイパス流路の精密ろ過槽の上流に合流する第１補助流路を設け、精密ろ過槽の精密ろ過フィルタの上流から分岐し且つ循環流路のポンプよりも上流に合流する第２補助流路を設け、この第２補助流路に第２切り替え弁を介して排水口を設けてあるので、浄化、殺菌、精密ろ過フィルタの洗浄を一つのポンプで行えるものであって、この結果、装置のサイズを小さくできるものである。
【００３３】
また、請求項２記載の発明にあっては、上記請求項１記載の発明の効果に加えて、第１開閉弁を閉じ、第２切り替え弁をポンプ側に開いた後、第１切り替え弁を無隔膜電解槽側に開いて無隔膜電解槽で生成された塩素水を精密ろ過槽の精密ろ過フィルタの上流、ポンプを循環させた後、第２切り替え弁を閉じて塩素水を精密ろ過フィルタを通して浴槽に出すように制御する制御部を設けてあるので、ポンプ内を高濃度の塩素水で殺菌できてヌメリを抑え、ヌメリによるポンプの目詰まりを防止し、レジオネラ菌の発生を抑えることができるものであり、また、精密ろ過フィルタの洗浄の時にしか流れることのない第２補助流路も高濃度の塩素水で殺菌できて、殺菌効果を向上させることができる。
【００３４】
また、請求項３記載の発明にあっては、上記請求項１記載の発明の効果に加えて、第１開閉弁を閉じ、第２切り替え弁を開いた後、第１切り替え弁を塩溶解槽側へ開閉するように制御する制御部を設けてあるので、塩溶解槽より無隔膜電解槽へ塩溶解水を移送し、無隔膜電解槽において所定量の塩素を生成するために必要な塩の量を制御するとき、塩溶解槽より無隔膜電解槽への流量が影響するが、第２切り替え弁を開いてあるので、塩溶解槽の精密ろ過フィルタの目詰まりの影響を受けることなく流量を一定にできて所定量の塩素を供給するのに必要な量の塩を無隔膜電解槽に正確に供給できるものである。
【００３５】
また、請求項４記載の発明にあっては、上記請求項１記載の発明の効果に加えて、ポンプを止め、第１開閉弁を閉じ、第２切り替え弁をポンプ側に、第１切り替え弁を塩溶解槽側に開き、測定された電流値又は電圧値が所定値に等しくなるまで駆動時間が一定のポンプの駆動回数を制御する制御部を設けてあるので、ポンプの駆動時間を一定とし、１回駆動させるたびに電極間の電圧または電流を所定値と比較し、ポンプを数回駆動させることにより、塩濃度を所定値まで上昇させ、この結果、所定値を大きく上回ることなく無隔膜電解槽内の塩濃度を調整することができるものである。また、塩溶解槽の上流の第１切り替え弁の開閉にかかる時間に関係なく制御できるため、第１切り替え弁の種類を選ぶ必要がなくてコストを抑えることができるものである。
【００３６】
また、請求項５記載の発明にあっては、上記請求項４記載の発明の効果に加えて、測定された電流値又は電圧値が所定量と等しくなるまでポンプの駆動回数で制御し、駆動回数が所定回数に到達した時、塩不足であると判断する制御部を設けてあるので、ポンプを１回駆動させるたびに電極間の電圧又は電流を所定値と比較し、数回ポンプを駆動させることにより塩濃度を所定値まで上昇させるという制御のとき、塩溶解槽内の塩残量が少なく、塩溶解槽の出口の塩濃度が低いとき、何回駆動させても所定値とずれを生じたままとなるため、所定回数、駆動させても所定値に到達しないとき塩不足を表示させるものであり、このように塩不足を表示することで、塩濃度不足からくる塩素発生量不足を未然に防ぐことができるものである。
【００３７】
また、請求項６記載の発明にあっては、上記請求項１記載の発明の効果に加えて、ポンプを止め、第１開閉弁を閉じて第２切り替え弁をポンプ側に開いた後、第１切り替え弁を塩溶解槽側に開き、ポンプの１回目の駆動時間が長く、２回目以降は短く且つ一定の駆動時間であり、測定された電流値又は電圧値が所定値に等しくなるまでポンプの駆動回数を制御する制御部を設けてあるので、無隔膜電解槽の塩濃度を最初の１回目で大きく所定値に近づけておいた後、小刻みに濃度を上げてより精度よく無隔膜電解槽内の塩濃度を所定値に調整することができ、さらに駆動させる回数が少なくて済むので、ポンプ駆動によるトラブルを少なくする可能性が高まるものである。
【図面の簡単な説明】
【図１】本発明の配管構成図である。
【図２】同上の浴槽水の浄化時における装置内の浴槽水の流れを示す説明図である。
【図３】同上の殺菌時の装置内の浴槽水の流れを示す説明図である。
【図４】同上の塩溶解槽から無隔膜電解槽に塩溶解水を移送するときの装置内の浴槽水の流れを示す説明図である。
【図５】同上の精密ろ過フィルタの洗浄時における装置内の浴槽水の流れを示す説明図である。
【図６】同上の精密ろ過フィルタの洗浄後における排水時における装置内の浴槽水の流れを示す説明図である。
【図７】本発明の第１の実施形態の電解殺菌のフローチャートである。
【図８】本発明の第２の実施形態の電解殺菌のフローチャートである。
【図９】本発明の第３の実施形態の電解殺菌のフローチャートである。
【図１０】従来例の配管構成図である。
【図１１】他の従来例の配管構成図である。
【符号の説明】
１  循環流路
２  ポンプ
３  第１開閉弁
４  バイパス流路
５  精密ろ過フィルタ
６  精密ろ過槽
７  第１切り替え弁
８  無隔膜電解槽
９  塩溶解槽
１０  第１補助流路
１１  第２補助流路
１２  第２切り替え弁
１３  排水口
１４  第２開閉弁
１５  制御部
１６  流水吐水口
１７  洗浄用ノズル
【図１】
0003671684.tif 000002
【図２】
0003671684.tif 000003
【図３】
0003671684.tif 000004
【図４】
0003671684.tif 000005
【図５】
0003671684.tif 000006
【図６】
0003671684.tif 000007
【図７】
0003671684.tif 000008
【図８】
0003671684.tif 000009
【図９】
0003671684.tif 000010
【図１０】
0003671684.tif 000011
【図１１】
0003671684.tif 000012